(57)【要約】      （修正有）【課題】効率的に検査予約できる検査予約システムを提供する。【解決手段】検査予約システム２Ａは、病院の検査の実施の都度、前記検査の被験者が検査室に入室した時刻及び退室した時刻を取得し、退室時刻と入室時刻との差に基づく滞在時間を算出する算出部と、被験者の被験者情報及び被験者に対する検査の情報の内、滞在時間に関わる複数の情報項目の組合せである条件パラメータパターンと、滞在時間とを関連付ける処理を検査の都度実行することで、同一の前記条件パラメータパターン毎に滞在時間の平均値を平均滞在時間として記憶する平均滞在時間記憶部と、未予約被験者の条件パラメータパターンに最も近い条件パラメータパターンの平均滞在時間を、未予約被験者の予測滞在時間として平均滞在時間記憶部から取得し、予測滞在時間に基づいて検査室を使用可能な時間枠を空き枠として抽出する空き枠検索部と、を備える。【選択図】図４
2018081340.tif 000002
【特許請求の範囲】
【請求項１】
病院の検査室での検査の実施の都度、前記検査の被験者が前記検査室に入室した入室時刻及び前記検査室から退室した退室時刻を取得し、前記退室時刻と前記入室時刻との差に基づく滞在時間を算出する算出部と、
前記被験者の被験者情報及び前記被験者に対する前記検査の情報の内、前記滞在時間に関わる複数の情報項目の組合せである条件パラメータパターンと、前記滞在時間とを関連付ける処理を前記検査の都度実行することで、同一の前記条件パラメータパターン毎に滞在時間の平均値を平均滞在時間として記憶する平均滞在時間記憶部と、
未予約被験者の前記条件パラメータパターンに最も近い前記条件パラメータパターンの平均滞在時間を、前記未予約被験者の予測滞在時間として前記平均滞在時間記憶部から取得し、前記予測滞在時間に基づいて前記検査室を使用可能な時間帯枠を空き枠として抽出し、前記空き枠の情報を出力する空き枠検索部と、
を備える検査予約システム。
【請求項２】
前記空き枠検索部は、現在時刻を基準として直近の時間帯枠を前記空き枠判定対象とする、
請求項１に記載の検査予約システム。
【請求項３】
前記空き枠検索部は、前記被験者の予測滞在時間又は滞在時間に基づいて前記時間帯枠における最後の被験者が前記検査室から退室する最終退室予定時刻を算出し、次の時間帯枠の開始時刻から前記最終退室予定時刻を差し引いた空き時間が前記未予約被験者の予測滞在時間以上の場合、前記時間帯枠を前記空き枠と判定する、
請求項１又は請求項２に記載の検査予約システム。
【請求項４】
前記最終退室予定時刻は、前記時間帯枠における最後の被験者の直前の被験者の退室時刻又は退室予定時刻に、前記時間帯枠における最後の被験者が前記検査室に移動し前記検査室に入室するまでの時間と、前記時間帯枠における最後の被験者の予測滞在時間とを加算した時刻である、
請求項３に記載の検査予約システム。
【請求項５】
前記空き枠検索部は、空き枠検索実行時に前記検査の受付窓口で受付済の被験者が居り、現在時刻に基づいて空き枠判定対象として特定された時間帯枠に現在時刻が含まれる場合、現在時刻に基づいて空き枠判定対象として特定された時間帯枠の次の時間帯枠を空き枠判定対象として特定する、
請求項１乃至請求項４のいずれか１項に記載の検査予約システム。
【請求項６】
前記空き枠検索部は、現在時刻から所定時間後の複数の時間帯枠を含む検査枠グループの被験者の予測滞在時間を合計した時間を前記検査枠グループの総時間から差し引いた時間が、前記未予約被験者の前記予測滞在時間以上となる前記検査枠グループを特定し、前記検査枠グループに含まれる前記複数の時間帯枠のうち任意の時間帯枠を前記空き枠と判定する、
請求項１又は請求項２に記載の検査予約システム。
【請求項７】
前記条件パラメータパターンは、検査名、検査部位、造影の有無、及び健康診断か否かを含む検査情報と、年代、障害の有無、歩行状態、感染症の有無、及び付き添いの有無を含む前記被験者情報とを含む、
請求項１乃至請求項６のいずれか１項に記載の検査予約システム。
【請求項８】
前記空き枠検索部は、検査枠毎に設定された定員に拘らず、前記未予約被験者の予測滞在時間に基づいて前記空き枠を検索する、
請求項１乃至請求項７のいずれか１項に記載の検査予約システム。
【請求項９】
前記検査予約システムは、病棟を管理する病棟システムにネットワークを介して接続され、
前記空き枠検索部は、予約日未定検査の被験者の条件パラメータパターンから前記予測滞在時間を特定し、前記予測滞在時間に基づいて前記空き枠を検索し、前記空き枠に前記予約日未定の検査を予約する、
請求項１乃至請求項８のいずれか１項に記載の検査予約システム。
【請求項１０】
前記予約日未定の検査の予約が完了した場合、前記予約日未定の検査の予約が完了したことを前記病棟システムに通知する通知部をさらに備える、
請求項９に記載の検査予約システム。
【請求項１１】
被験者情報を含む病院での検査の情報の内、前記被験者の検査室での滞在時間に関わる複数の情報項目の組合せである条件パラメータパターン毎に記憶された前記滞在時間の平均値のデータを外部の記憶装置から取得する取得部と、
未予約被験者の検査予約要求を外部の端末から受け、前記未予約被験者の前記条件パラメータパターンに最も近い前記条件パラメータパターンの前記滞在時間の平均値を前記未予約被験者の予測滞在時間とし、前記予測滞在時間に基づいて前記検査室を使用可能な時間帯枠を空き枠として判定する空き枠検索部と、
前記空き枠の情報を前記外部の端末に出力する出力部と、
を備える検査予約システム。
【発明の詳細な説明】
【技術分野】
【０００１】
本発明の実施形態は、検査予約システムに関する。
【背景技術】
【０００２】
医療を取り巻く環境の電子化が進み、医療に関わる様々な業務が電子化、システム化されている。例えば、診察や会計などの病院の業務を支援する病院情報システム（ＨＩＳ：Hospital Information System）や、検査部門の１つである放射線科部門の業務を支援する放射線科情報システム（ＲＩＳ：Radiology Information System）などの医療システムが提供されている。
【０００３】
ＨＩＳは、例えば、診察や会計に関する機能に加えて、検査や診察の予約を管理する機能を有する。ＨＩＳで検査予約が発生すると、検査依頼がＨＩＳからＲＩＳへ送信される。ＲＩＳは、検査依頼に含まれる予約日、予約時間帯、及び検査部位などの依頼情報が記憶され、放射線科部門の医療従事者は、依頼情報に基づいて検査を行う。依頼情報に基づいて検査が実行されると、検査結果がＲＩＳからＨＩＳへ送信される。
【０００４】
医療システムにおいて検査予約システムは、医療業務を効率化する上で重要なシステムである。このため、従来よりもさらに効率的に検査予約を実行可能な検査予約システムが要望されていた。
【先行技術文献】
【特許文献】
【０００５】
【特許文献１】特開２００９−１２９３０８号公報
【発明の概要】
【発明が解決しようとする課題】
【０００６】
本発明が解決しようとする課題は、従来よりも効率的に検査予約できる検査予約システムを提供することである。
【課題を解決するための手段】
【０００７】
一実施形態にかかる検査予約システムは、病院の検査室での検査の実施の都度、前記検査の被験者が前記検査室に入室した入室時刻及び前記検査室から退室した退室時刻を取得し、前記退室時刻と前記入室時刻との差に基づく滞在時間を算出する算出部と、前記被験者の被験者情報及び前記被験者に対する前記検査の情報の内、前記滞在時間に関わる複数の情報項目の組合せである条件パラメータパターンと、前記滞在時間とを関連付ける処理を前記検査の都度実行することで、同一の前記条件パラメータパターン毎に滞在時間の平均値を平均滞在時間として記憶する平均滞在時間記憶部と、未予約被験者の前記条件パラメータパターンに最も近い前記条件パラメータパターンの平均滞在時間を、前記未予約被験者の予測滞在時間として前記平均滞在時間記憶部から取得し、前記予測滞在時間に基づいて前記検査室を使用可能な時間帯枠を空き枠として抽出し、前記空き枠の情報を出力する空き枠検索部と、を備える。
【図面の簡単な説明】
【０００８】
【図１】検査予約システムにおける検査予約の流れを説明するユースケース図。
【図２】検査予約システムにおける空き状況表示を説明する表。
【図３】第１の実施形態に係る検査予約システムの一例を示す構成図。
【図４】第１の実施形態に係る検査予約システムの機能構成例を示すブロック図。
【図５】第１の実施形態に係る検査予約システムの平均滞在時間を蓄積する動作の一例を示すフローチャート。
【図６】第１の実施形態に係る検査予約システムの平均滞在時間を説明する表。
【図７】第１の実施形態に係る検査予約システムの第１の空き枠検索の動作の一例を示すフローチャート。
【図８】第１の実施形態に係る検査予約システムの空き時間算出処理の動作の一例を示すフローチャート。
【図９】第１の実施形態に係る検査予約システムにおける予測滞在時間の取得方法を説明する模式図。
【図１０】第１の空き枠検索における空き時間の算出方法を説明する模式図。
【図１１】第１の実施形態に係る検査予約システムにおける空き状況表示を説明する表。
【図１２】第１の実施形態に係る検査予約システムにおける検査予約の追加を説明する表。
【図１３】第１の実施形態に係る検査予約システムの第２の空き枠検索の動作の一例を示すフローチャート。
【図１４】第２の空き枠検索における空き時間の算出方法を説明する模式図。
【図１５】翌日以降を含む空き状況表示を説明する表。
【図１６】予測滞在時間が長い場合の予約方法を説明する模式図。
【図１７】第２の実施形態に係る検査予約システムの一例を示す構成図。
【図１８】第２の実施形態に係る検査予約システムの機能構成例を示すブロック図。
【図１９】第２の実施形態に係る検査予約システムの動作の一例を示すフローチャート。
【図２０】第２の実施形態に係る検査予約システムの予約日未定の検査一覧を説明する表。
【図２１】第２の実施形態に係る検査予約システムにおける病棟連絡及び予約日時が設定された検査オーダを説明する模式図。
【図２２】第２の実施形態に係る検査予約システムにおける予約日未定の検査を纏めて予約する方法を説明する模式図。
【図２３】第１及び第２の実施形態の変形例に係る検査予約システムの機能構成例を示すブロック図。
【発明を実施するための形態】
【０００９】
図１は、検査予約システムにおける検査予約の流れを説明するユースケース図である。図１の上部は、ＨＩＳを示しており、図１の下部は、検査部門システムの１つであるＲＩＳを示している。図１に示すように、検査予約システムはＨＩＳとＲＩＳなどの検査部門システムとから構成される。
【００１０】
図１の上部に示すように、ＨＩＳには、医師等のユーザが使用するクライアント端末が診察室毎に設置されている。医師等のユーザは、診察室のクライアント端末から空き枠検索を実行する。ここで、空き枠とは、後述の検査枠毎に設定された定員に基づいて予約可能と判定された時間帯枠のことである。次に、空き枠検索に応じて予約管理サーバで生成された空き状況が、診察室のクライアント端末に表示される。
【００１１】
次に、医師は、空き状況と患者の予定とに応じて予約日及び予約時間帯を決定し、診察室のクライアント端末から決定した予約日及び予約時間帯で検査予約を実行する。予約管理サーバが検査予約を受け付けると、検査オーダがＨＩＳからＲＩＳに送信される。ＲＩＳは、検査オーダを受信し、検査室のクライアント端末に検査オーダを表示する。検査オーダには、予約時間帯などの予約情報と検査部位などの検査情報とが含まれ、検査技師は、検査オーダに基づいて検査を実施する。
【００１２】
図２は、の検査予約システムにおける空き状況表示を説明する表である。図２の左側の表は、６月の空き状況表示Ｄ１であり、月単位の空き状況表示の例である。図２の右側の表は、６月３日の空き状況内訳表示Ｄ２であり、日単位の空き状況表示の例である。医師等のユーザが空き枠検索を実行すると、図２に示す表が診察室のクライアント端末に表示される。
【００１３】
６月の空き状況表示Ｄ１は、午前及び午後の空き枠数を日ごとに数字で示している。６月の空き状況表示Ｄ１の任意の日付を選択すると、その日の空き状況内訳が表示される。例えば、６月の空き状況表示Ｄ１において６月３日を選択すると、図２の右側に示すように、６月３日の空き状況内訳Ｄ２が表示される。なお、６月の空き状況表示Ｄ１において、既に経過した日付などの選択できない項目については、グレースケールのハッチングを付し、選択可能な項目とは区別して示す。
【００１４】
６月３日の空き状況内訳Ｄ２は、左から時間帯、検査枠、予約人数／定員、及び空き状況の項目が含まれる。
【００１５】
時間帯は、検査室の１日の運営時間を単位時間毎に区分した場合のそれぞれの区分の開始時刻を示している。例えば、６月３日の空き状況内訳Ｄ２は、検査室の運営時間を９：００から１７：３０とし、９：００から１７：３０を単位時間である３０分毎に区分した場合を示している。従って、時間帯の列には、９：００、９：３０…１７：００の３０分単位で分割された各区分の開始時刻が示されている。
【００１６】
検査枠は、検査室で実施される検査区分を示している。検査枠は、複数の時間帯枠に連続して同一の種類の検査区分が設定される。検査区分は、検査室毎に行われる検査の種類や目的に応じて区分される。例えば、検査室に設置されたモダリティがＸ線ＣＴ（Computed Tomography）装置の場合、検査区分は、造影剤を使用した造影ＣＴ検査と、非造影検査である単純ＣＴ検査との２区分となる。なお、検査区分は、例えば、検査部位や検査室を占有する診療科によって区分される場合もある。６月３日の空き状況内訳Ｄ２の例では、造影ＣＴ検査の場合を造影、非造影検査の場合を単純で示している。
【００１７】
予約人数は、時間帯枠に予約済みの人数を示しており、定員は、時間帯枠において予約可能な人数を示している。定員は、検査枠に応じて病院毎或いは検査室毎に設定される。６月３日の空き状況内訳Ｄ２の例では、造影の検査枠の定員は１名、単純の検査枠の定員は２名に設定されている。造影検査は、非造影検査に比べて１回の検査にかかる時間が長いからである。
【００１８】
時間帯枠に設定された定員と予約人数とが同じ数の場合、空き状況には無しが表示される。６月の空き状況表示Ｄ１に表示される空き枠数を示す数字は、各時間帯の定員からその時間帯の予約人数を差し引いた数を午前と午後でそれぞれ合計した数である。
【００１９】
例えば、本日の日付が６月３日である場合、医師が新たに検査予約しようとすると、診察室のクライアント端末には６月の空き状況Ｄ１が表示される。６月の空き状況Ｄ１に示すように、６月３日から６月９日の午後まで空き枠が無い。従って、新たな検査予約は、６月９日の午後以降の空き枠のある日に予約される。この場合、本日受診した患者は、検査を実施する日と、検査結果を医師から説明を受ける日とを含め、あと２回来院することが求められる。
【００２０】
このように、検査予約システムでは、空き状況は、時間帯枠毎に設定された定員に基づいて判定される。しかしながら、検査室では想定よりも早く検査が終了する場合があり、ＨＩＳのクライアント端末で表示される空き状況は、検査室における実際の空き状況に完全に一致しない場合がある。
【００２１】
具体的には、単位時間３０分の単純検査枠に設定された定員は２名であり、それぞれの検査において想定される所要時間は、１５分である。実際の検査がそれぞれ１０分で終了した場合、単位時間３０分のうち、１０分が空き時間となる。次の予約患者の受付がまだである場合、検査室で検査が行われない空き時間が生じる。一方、検査室で生じた空き時間は、検査予約システムにおいて、診察室のクライアント端末からは確認できない。
【００２２】
以下、時間帯枠に設定された定員にかかわらず、患者毎に正確に予測された検査の所要時間に基づいて検査予約可能な検査予約システムの各実施形態について、図面を参照して説明する。なお、各図において同一要素には同一符号を付し、重複する説明を省略する。
【００２３】
［第１の実施形態］
（１）構成
図３は、第１の実施形態に係る検査予約システムの一例を示す構成図である。図３の検査予約システム１Ａは、ＨＩＳ２Ａ及びＲＩＳ３Ａを備える。ＲＩＳ３Ａは、検査部門システムの一例である。
【００２４】
ＨＩＳ２Ａ及びＲＩＳ３Ａは、通信インターフェース（ＩＦ：interface）２４及び通信ＩＦ３７を介して、電子ネットワーク１ＮＷ経由で相互接続される。通信ＩＦ２４及び通信ＩＦ３７は、例えば、スイッチやハブなどのネットワーク機器で構成され、ネットワーク形態に応じた種々の通信プロトコルを実装する。ＨＩＳ２Ａ及びＲＩＳ３Ａは、この各種通信プロトコルに従って相互に通信を行う
【００２５】
電子ネットワーク１ＮＷは、無線／有線ＬＡＮやインターネット網、電話通信回線網、光ファイバー通信ネットワーク、ケーブル通信ネットワーク、及び衛星通信ネットワークなどの電気通信技術を利用した病院基幹ＬＡＮである。電子ネットワーク１ＮＷは、ルータなどのネットワーク機器を介してＷＡＮ（Wide Area Network）に接続するよう構成されてもよい。
【００２６】
ＨＩＳ２Ａは、複数の診察室端末２０、電子カルテサーバ２５、及び予約管理サーバ２１ａを備える。診察室端末２０、電子カルテサーバ２５、及び予約管理サーバ２１ａは、電子ネットワーク２ＮＷ経由で相互接続される。電子ネットワーク２ＮＷは、無線／有線ＬＡＮを利用したＨＩＳ２Ａの内部ネットワークであり、通信ＩＦ２４を介して電子ネットワーク１ＮＷと接続する。
【００２７】
診察室端末２０は、診察室毎に設置され、例えば一般的なパーソナルコンピュータで構成される。診察室端末２０は、電子カルテサーバ２５及び予約管理サーバ２１ａのクライアント端末として、電子カルテサーバ２５と予約管理サーバ２１ａとの間で電子データの授受を行う。なお、診察室端末２０は、電子カルテ作成装置や医用画像表示装置などのワークステーションであってもよい。
【００２８】
電子カルテサーバ２５及び予約管理サーバ２１ａは、通信ＩＦ２４を介して電子ネットワーク１ＮＷ経由でＲＩＳ３Ａや他の検査部門システムに接続される。なお、他の検査部門システムには、臨床検査情報システム（ＬＩＳ：clinical Laboratory Information System）や手術部門情報システムなどがある。
【００２９】
ＲＩＳ３Ａは、放射線科サーバ３０ａ、入退室記録装置３３、放射線科端末３４、医用画像保存通信システム（Picture Archiving and Communication Systems：ＰＡＣＳ）３５、及びモダリティ３６を備える。放射線科サーバ３０ａ、入退室記録装置３３、放射線科端末３４、及びＰＡＣＳ３５は、電子ネットワーク３ＮＷ経由で相互接続される。電子ネットワーク３ＮＷは、無線／有線ＬＡＮを利用したＲＩＳ３Ａの内部ネットワークであり、通信ＩＦ３７を介して電子ネットワーク１ＮＷと接続する。
【００３０】
入退室記録装置３３は、例えば、ＩＣ（Integrated Circuit）カードの読取機能を備えたＩＣカード認証端末と、ＩＣカードを認証した時の認証情報及び認証時刻を放射線科サーバ３０ａに送信する送信器とを備える。ＩＣカード認証端末は、例えば、検査室の入り口に設置され、ＩＣカードを携帯した患者の検査室への入退室を記録する。送信器は、有線又は無線で認証情報及び認証時刻を放射線科サーバ３０ａに送信する。放射線科サーバ３０ａは、送信器から認証情報を受信した時の時刻を認証情報と関連付けて記憶するように構成されてもよい。
【００３１】
なお、入退室記録装置３３は、上記構成には限定されない。入退室記録装置３３は、例えば、ＩＣカード認証端末に替えてタイムレコーダのように患者が検査室に入退室した時刻を記録できる端末を備えてもよい。また、放射線技師等の病院スタッフが患者の入退室時刻を放射線科端末３４から入力できるようにＲＩＳ３Ａを構成してもよい。
【００３２】
放射線科端末３４は、例えば一般的なパーソナルコンピュータで構成され、放射線科サーバ３０ａ及びＰＡＣＳ３５のクライアント端末として放射線科サーバ３０ａとＰＡＣＳ３５との間で電子データの授受を行う。また、放射線科端末３４は、ワークステーションであってもよく、検査室内に設置され、モダリティ３６の操作コンソールとして機能するよう構成されてもよい。
【００３３】
モダリティ３６は、検査室毎に設置され、放射線科端末３４からの指示に応じて検査を実行し、検査結果をＰＡＣＳ３５に送信する。放射線科部門に設置されるモダリティ３６には、例えば、Ｘ線ＣＴ装置、ＭＲＩ（Magnetic Resonance Imaging）装置、Ｘ線アンギオグラフィ、Ｘ線透視装置、及び核医学診断装置が含まれる。なお、放射線科部門に設置されるモダリティには、超音波診断装置や内視鏡検査装置などの生理機能検査用のモダリティが含まれてもよい。
【００３４】
ここで、電子カルテサーバ２５、予約管理サーバ２１ａ、放射線科サーバ３０ａ、及びＰＡＣＳ３５などのサーバは、病院外のデータセンタなどのクライアント端末とは異なる場所に設置されてもよい。また、サーバは、それぞれ仮想サーバとして機能してもよく、ユーザは、物理的なサーバを意識することなくクライアント端末からサーバに接続することができる。このように検査予約システム１Ａはクラウドシステムで構成されていてもよい。
【００３５】
また、検査予約システム１Ａは、ユーザが使用するクライアント端末には必要最小限の処理をさせ、殆どの処理をサーバ側に集中させたシンクライアントシステムであってもよい。
【００３６】
なお、上記サーバとは、例えば、コンピュータネットワークにおいて、クライアント端末に対し当該サーバ自体の持つ機能やデータを提供するコンピュータの意味である。検査予約システム１Ａを構成する各サーバは、ハードウェア構成として少なくとも記憶回路及び処理回路（後述の図４参照）を備える。
【００３７】
記憶回路は、ＲＯＭ（Read Only Memory）やＲＡＭ（Random Access Memory）の他、ＨＤＤ（Hard Disk Drive）や光ディスク装置等の外部記憶装置を含む記憶媒体である。記憶回路は、処理回路において実行される各種プログラム（アプリケーションプログラムの他、オペレーティングシステム等も含まれる）、プログラムの実行に必要なデータ、及び画像データを記憶する。また、記憶回路は、オペレーティングシステムを制御するための各種コマンドを記憶してもよい。入力回路からの入力を支援するＧＵＩ（Graphical User Interface）のプログラムを記憶してもよい。
【００３８】
処理回路は、専用のハードウェアで構成してもよいし、内蔵のプロセッサによるソフトウェア処理で後述する各種機能を実現するように構成してもよい。ここでは一例として、処理回路がプロセッサによるソフトウェア処理によって各種機能を実現する場合について説明する。
【００３９】
なお、上記説明におけるプロセッサとは、専用又は汎用のＣＰＵ（Central Processing Unit）、ＧＰＵ（Graphics Processing Unit）、特定用途向け集積回路（ＡＳＩＣ：Application Specific Integrated Circuit）、プログラマブル論理デバイス、及びフィールドプログラマブルゲートアレイ（ＦＰＧＡ：Field Programmable Gate Array）などの回路を意味する。上記プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）などが挙げられる。処理回路は、記憶回路に記憶されたプログラム又は処理回路のプロセッサ内に直接組み込まれたプログラムを読み出し、当該プログラムを実行することで各機能を実現する。
【００４０】
また、処理回路は、単一のプロセッサによって構成されてもよいし、複数の独立したプロセッサの組合せによって構成されてもよい。後者の場合、複数のプロセッサにそれぞれ対応する複数の記憶回路が設けられると共に、各プロセッサにより実行されるプログラムが当該プロセッサに対応する記憶回路に記憶される構成でもよい。別の例としては、１個の記憶回路が複数のプロセッサの各機能に対応するプログラムを一括的に記憶する構成でもよい。
【００４１】
図４は、第１の実施形態に係る検査予約システム１Ａの機能構成例を示すブロック図である。
【００４２】
図４の上部に示すＨＩＳ２Ａは、診察室端末２０、電子カルテサーバ２５、及び予約管理サーバ２１ａを備える。
【００４３】
診察室端末２０は、入力回路２６及びディスプレイ２７を備える。医師等のユーザは、診察室端末２０の入力回路２６から電子カルテを作成する。また、検査結果や医用画像が診察室端末２０のディスプレイ２７に表示される。また、医師等のユーザは、診察室端末２０を利用して患者の検査予約を行い、検査部門に対する検査依頼である検査オーダを発行する。
【００４４】
入力回路２６は、例えば、キーボード、マウス、ジョイスティック、又はトラックボール等の入力デバイスから構成される。
【００４５】
ディスプレイ２７は、液晶ディスプレイパネル、プラズマディスプレイパネル、及び有機ＥＬ（Electro Luminescence）パネル等の表示デバイスである。
【００４６】
電子カルテサーバ２５は、患者の氏名、性別、及び年齢などの患者情報と、患者に対して行われた検査種別や検査部位などの検査情報とが含まれる電子カルテを記憶する。また、電子カルテサーバ２５は、検査オーダを記憶し、当該検査オーダと各検査部門で作成された検査結果とを関連付けて記憶する。
【００４７】
予約管理サーバ２１ａの記憶回路２２ａは、平均滞在時間記憶領域２２１ａ及び検査予約記憶領域２２２ａを有する。なお、平均滞在時間記憶領域２２１ａ及び検査予約記憶領域２２２ａは、記憶回路２２ａとは別の記憶回路により構成されてもよい。
【００４８】
平均滞在時間記憶領域２２１ａには、患者の条件パラメータパターン毎の平均滞在時間が記憶される。平均滞在時間は、条件パラメータパターンが同一である複数の患者における検査室での実績滞在時間を平均したものである。上記実績滞在時間は、ここでは一例として、予約済み患者の検査室での実際の滞在時間を意味するものとする。なお、平均滞在時間は、検査室への移動時間を含めた時間であってもよい。さらに、平均滞在時間記憶領域２２１ａには、条件パラメータパターン毎の平均滞在時間と検査室への移動時間の平均時間とが記憶されるよう検査予約システム１Ａが構成されてもよい。
【００４９】
条件パラメータとは、検査室での患者の滞在時間に影響を与える情報項目のことである。条件パラメータパターンは、複数の条件パラメータの組み合わせのことである。即ち、条件パラメータパターンは、患者情報の内、検査室での患者の滞在時間に影響し得る条件パラメータと、検査情報の内、検査室での患者の滞在時間に影響し得る条件パラメータとの組合わせである。条件パラメータパターン毎の平均滞在時間の詳細については後述の図５及び図６で説明する。
【００５０】
検査予約記憶領域２２２ａには、検査室毎の検査予約一覧が記憶される。検査予約一覧は、予約済み患者の受付や検査の進行に応じてリアルタイムで更新される。また、新規の検査予約が発生すると、検査予約一覧に検査予約が追加される。検査予約一覧の更新の詳細については、後述の図１０及び図１２で説明する。
【００５１】
予約管理サーバ２１ａの処理回路２３ａは、検査予約機能２３１ａ、空き枠検索機能２３２ａ、及び平均滞在時間算出機能２３３ａを有する。なお、検査予約機能２３１ａ、空き枠検索機能２３２ａ、及び平均滞在時間算出機能２３３ａは、記憶回路２２ａに格納されているプログラムを処理回路２３ａのプロセッサが実行することによって実現される機能である。
【００５２】
検査予約機能２３１ａは、医師等のユーザの検査予約要求に応じて検査予約記憶領域２２２ａに記憶された検査予約一覧に新たな検査予約を追加する。検査予約一覧への検査予約の追加の詳細については、後述の図１２で説明する。
【００５３】
空き枠検索機能２３２ａは、予約済み患者又は新たに検査を予約する未予約患者の条件パラメータパターンに基づいて、検査室の予測滞在時間を取得する。以下の説明では、新たに検査を予約する患者を未予約患者、既に予約済みの患者を予約済み患者と呼ぶこととする。
【００５４】
空き枠検索機能２３２ａは、取得した予測滞在時間に基づいて検査予約一覧の中から空き枠を検索する。また、空き枠検索機能２３２ａは、検索された空き枠に基づいて空き状況表示を生成し、診察室端末２０のディスプレイ２７に表示する。予測滞在時間の取得方法及び空き枠の判定方法の詳細については、後述の図９及び図１０で説明する。
【００５５】
平均滞在時間算出機能２３３ａは、入退室記録装置３３で取得される検査室への患者の実績入室時刻と、実績退室時刻とに基づいて、患者の実績滞在時間を算出する。実績入室時刻は、患者が検査室に入室する時の時刻である。実績退室時刻は、検査が終了して検査室から患者が退室する時の時刻である。さらに、平均滞在時間算出機能２３３ａは、算出した患者の実績滞在時間に基づいて、患者の条件パラメータパターン毎の平均滞在時間を算出する。条件パラメータパターン毎の平均滞在時間の詳細については、後述の図６で説明する。
【００５６】
図４の下部に示すＲＩＳ３Ａは、放射線科サーバ３０ａ、入退室記録装置３３、及び放射線科端末３４を備える。
【００５７】
放射線科サーバ３０ａの記憶回路３１ａは、検査オーダ記憶領域３１１ａ及び入退室時刻記憶領域３１２ａを有する。なお、検査オーダ記憶領域３１１ａ及び入退室時刻記憶領域３１２ａは、記憶回路３１ａとは別の記憶回路により構成されてもよい。
【００５８】
検査オーダ記憶領域３１１ａには、検査オーダ一覧が記憶される。検査オーダは、予約時間帯、患者情報、及び検査情報を含む。診察室端末２０で検査予約が実行され検査オーダが発行されると、検査オーダは、電子カルテサーバ２５に記憶されると共にＲＩＳ３Ａに送信され、検査オーダ記憶領域３１１ａに記憶される。
【００５９】
入退室時刻記憶領域３１２ａは、実績入室時刻及び実績退室時刻を記憶する。実績入室時刻及び実績退室時刻は、入退室記録装置３３又は放射線科端末３４から入力される。
【００６０】
放射線科サーバ３０ａの処理回路３２ａは、検査予約更新機能３２１ａを有する。なお、検査予約更新機能３２１ａは、記憶回路３１ａに格納されているプログラムを処理回路３２ａのプロセッサが実行することによって実現される機能である。
【００６１】
検査予約更新機能３２１ａは、予約済み患者の受付や検査の開始時刻などの検査の進捗状況に応じてＨＩＳ２Ａの検査予約記憶領域２２２ａに格納された検査予約一覧をリアルタイムで更新する。検査の進捗状況とは、例えば、予約済み患者が放射線科の受付窓口における受付を終えたか否かや、検査が終了したか否かといった予約された検査の最新の状況を示す情報のことである。
【００６２】
また、検査予約更新機能３２１ａは、入退室時刻記憶領域３１２ａに記憶される患者の実績入室時刻及び実績退室時刻を検査の進捗状況としてＨＩＳ２Ａに送信する。検査予約更新機能３２１ａは、検査予約一覧に実績入室時刻及び実績退室時刻を追加し、検査予約一覧を更新する。
【００６３】
（２）動作
第１の実施形態に係る検査予約システム１Ａでは、空き枠検索は、条件パラメータパターン毎の平均滞在時間を利用して算出された空き時間に基づいて実行される。平均滞在時間は、患者の検査が実施される度に算出され、患者の条件パラメータと関連付けされて予約管理サーバ２１ａに蓄積される。そこで、第１の実施形態に係る検査予約システム１Ａの動作を、条件パラメータパターン毎の平均滞在時間を蓄積する動作と、空き枠検索の動作とに分けて説明する。
【００６４】
図５は、第１の実施形態に係る検査予約システム１Ａの平均滞在時間を蓄積する動作の一例を示すフローチャートである。
【００６５】
ステップＳＴ１０１において、入退室記録装置３３は、実績入室時刻及び実績退室時刻を取得する。また、入退室記録装置３３は、実績入室時刻及び実績退室時刻を検査コード及び患者コードに関連付けて放射線科サーバ３０ａの入退室時刻記憶領域３１２ａに記憶する。検査コード及び患者コードは、検査及び患者を一意に識別する符号であって、数字やアルファベットから構成される。
【００６６】
なお、入退室記録装置３３は、検査コード及び患者コードに替えて、条件パラメータパターンを実績入室時刻及び実績退室時刻に関連付けて入退室時刻記憶領域３１２ａに記憶してもよい。条件パラメータパターンは、患者情報及び検査情報の内、検査室における患者の滞在時間に影響を与える一連の情報項目群である。入退室記録装置３３は、検査オーダ記憶領域３１１ａに記憶されている患者情報及び検査情報から患者の条件パラメータパターンを抽出し、実績入室時刻及び実績退室時刻に関連付けて入退室時刻記憶領域３１２ａに記憶してもよい。
【００６７】
ステップＳＴ１０２において、ＨＩＳ２Ａの平均滞在時間算出機能２３３ａは、ＲＩＳ３Ａの入退室時刻記憶領域３１２ａに記憶された実績入室時刻及び実績退室時刻を取得する。なお、平均滞在時間算出機能２３３ａは、実績入室時刻及び実績退室時刻が記録される都度、入退室時刻記憶領域３１２ａから実績入室時刻及び実績退室時刻を取得してもよい。また、平均滞在時間算出機能２３３ａは、検査時間外に複数の実績入室時刻及び実績退室時刻を纏めて取得してもよい。
【００６８】
ステップＳＴ１０３において、平均滞在時間算出機能２３３ａは、例えば、実績退室時刻から実績入室時刻を引くことで、実績滞在時間を算出する。
【００６９】
ステップＳＴ１０４において、平均滞在時間算出機能２３３ａは、例えば、実績入室時刻及び実績退室時刻に関連付けされた検査コード及び患者コードに基づいて、電子カルテサーバ２５から条件パラメータパターンを取得する。
【００７０】
ステップＳＴ１０５において、平均滞在時間算出機能２３３ａは、ステップＳＴ１０３で実績滞在時間が算出された患者の条件パラメータパターンに一致する条件パラメータパターンを、平均滞在時間記憶領域２２１ａ内で検索し、検索した条件パラメータパターンの平均滞在時間を取得する。平均滞在時間記憶領域２２１ａには、条件パラメータパターン毎の平均滞在時間が記憶されている。平均滞在時間は、過去の検査において条件パラメータパターンが同じ複数の患者について算出された実績滞在時間の平均である。
【００７１】
平均滞在時間記憶領域２２１ａは、条件パラメータパターン毎の平均滞在時間に加えて、当該平均滞在時間が算出されたときの分母の数、即ち、条件パラメータパターンが同一の患者に対して過去に実施された検査数を記憶してもよい。
【００７２】
平均滞在時間算出機能２３３ａは、取得した平均滞在時間と過去に実施された検査数とに基づいて、ステップＳＴ１０３で算出された実績滞在時間から平均滞在時間の更新値を算出する。なお、予約管理サーバ２１ａは、条件パラメータパターン毎にすべての検査における実績滞在時間を蓄積するよう構成されてもよく、平均滞在時間算出機能２３３ａは、新たに検査が実査される度に、条件パラメータが同じ実績滞在時間を平均し、平均滞在時間を算出してもよい。
【００７３】
ステップＳＴ１０６において、平均滞在時間算出機能２３３ａは、平均滞在時間記憶領域２２１ａの平均滞在時間を更新する。即ち、ステップＳＴ１０３で実績滞在時間が算出された患者の条件パラメータパターンに一致する条件パラメータパターンの平均滞在時間は、ステップＳＴ１０５で算出された更新値となる。なお、新たに実績滞在時間が算出された患者の条件パラメータパターンと一致する条件パラメータパターンが平均滞在時間記憶領域２２１ａに存在しない場合、平均滞在時間算出機能２３３ａは、新たに算出された実績滞在時間を当該条件パラメータパターンの平均滞在時間として処理する。
【００７４】
図６は、第１の実施形態に係る検査予約システム１Ａの平均滞在時間を説明する表である。図６の表のタイトル行に示すように、平均滞在時間記憶領域２２１ａに記憶された平均滞在時間は、条件パラメータパターンと関連付けて記憶されている。図６の表において、二重線よりも上側の行をタイトル行とし、タイトル行以外をデータ行と呼ぶこととする。
【００７５】
タイトル行の３行目は、検査情報及び患者情報の内、滞在時間にかかわる情報項目であり、左から検査種別、検査部位、造影有無、及び健診の４項目を検査情報として含むと共に、年代、性別、障害有無、歩行状態、感染症等、及び付き添いの６項目を患者情報として含む。ここでは一例として、条件パラメータパターンは、検査情報及び患者情報の内、滞在時間に関わる１０項目の組合せである。
【００７６】
検査情報に含まれる検査種別は、検査に使用されるモダリティの種類を示す。検査部位は、検査対象となる患者の解剖学的部位を示す。造影有無は、検査において造影剤を使用するか否かを示す。健診は、検査が健康診断や人間ドックにおいて実施されたか検査であるか否かを示す。健診や人間ドックの場合、検査対象者は、既に着替えを済ませており、検査対象者が検査室に滞在時する時間は、健診や人間ドック以外の場合と比べて短くなる。
【００７７】
患者情報に含まれる年代は、患者の年代を示す。年代は、例えば、１０歳から１９歳を１０代のように、年齢を１０歳単位で区切って纏めたものである。なお、年代の区切りは、１０歳単位には限定されず、５歳単位であってもよいし、一定の間隔で区切られていなくてもよい。
【００７８】
障害有無は、患者の障害の有無を示す。障害の種類には、例えば、運動障害、聴覚障害、視覚障害、意識障害、精神障害、又は言語障害など、検査室の滞在時間に影響を与える障害が含まれる。
【００７９】
歩行状態は、患者が検査室又はモダリティまでの移動手段を示す。例えば、患者が自分で歩いていける場合と、車いすやストレッチャーで運ばれる場合とがある。
【００８０】
感染症等は、患者の持病や罹患中の病気を示す。例えば、アレルギー、喘息、ウィルス感染症又は細菌感染症など、検査室の滞在時間に影響を与える病気が含まれる。例えば、アレルギーや喘息を持つ患者が検査中に発作を起こした場合、検査室の滞在時間が長くなる。また、患者がウィルスや細菌に感染している場合は、院内感染を防ぐために消毒や清掃が必要になることがある。
【００８１】
付き添いは、子供や高齢者を介助するために患者以外の人が検査に立ち会ったかを示す。介助者が居る場合、居ない場合よりも検査がスムーズに実施されることが多く、患者の検査室の滞在時間は短くなる。
【００８２】
平均滞在時間は、上記複数の項目が含まれる条件パラメータパターンに関連付けされて記憶されている。例えば、データ行の１行目の条件パラメータパターンは、検査種別「ＣＴ」、検査部位「頭部」、造影有無「なし」、健診「‐」、年代「２０代」、性別「男性」、障害有無「なし」、歩行状態「歩行可能」、感染症等「なし」、付き添い「なし」である。データ行の１行目に条件パラメータに合致する患者の場合、平均滞在時間は１０分である。
【００８３】
また、データ行の３行目は、データ行の１行目と年代及び感染症等の項目のみ異なり、年代「３０代」、感染症等「喘息」である。データ行の３行目に条件パラメータパターンが合致する患者の場合、平均滞在時間は１５分であり、データ行の１行目と比較すると５分長い。
【００８４】
このように、本実施形態に係る検査予約システム１Ａは、検査室の滞在時間に影響を与える条件パラメータパターン毎に平均滞在時間を記憶する。検査予約システム１Ａは患者の条件パターンパラメータに応じて異なる検査室の滞在時間を、患者の条件パターンパラメータに関連付けて記憶し、新たに検査が実施される度に平均滞在時間を算出し、予約管理サーバ２１ａに記憶された平均滞在時間を更新する。
【００８５】
以上が、平均滞在時間を蓄積する方法である。蓄積された平均滞在時間は、空き枠検索に利用される。次に、平均滞在時間を利用して患者の滞在時間を予測し、検査予約一覧の中から空き枠を抽出する空き枠検索の動作について説明する。以下、空き枠検索の動作について、診察室にいる医師が患者Ｘについて新規に検査予約を行う場合を例として説明する。
【００８６】
なお、空き枠検索の方法は、現在時刻を基準として直近の時間帯枠を空き枠判定対象とした第１の空き枠検索と、現在時刻を基準として所定時間後の検査枠を空き枠判定対象とした第２の空き枠検索とがある。
【００８７】
第１の空き枠検索と第２の空き枠検索とは、ユーザが任意に選択できるように検査予約システム１Ａを構成してもよい。また、検査予約システム１Ａは、所定の条件に基づいて、第１の空き枠検索と第２の空き枠検索とを切り替えるように構成されてもよい。
【００８８】
まず、現在時刻を基準として直近の時間帯枠を対象とした第１の空き枠検索の動作について図７及び図８を参照して説明する。
【００８９】
図７は、第１の実施形態に係る検査予約システム１Ａの第１の空き枠検索の動作の一例を示すフローチャートである。
【００９０】
ステップＳＴ１２１において、予約管理サーバ２１ａの処理回路２３ａの空き枠検索機能２３２ａは、未予約患者である患者Ｘの条件パラメータパターンを電子カルテサーバ２５から取得する。空き枠検索機能２３２ａは、取得した患者Ｘの条件パラメータパターンと一致する条件パラメータパターンの平均滞在時間を患者Ｘの予測滞在時間として取得する。
【００９１】
図９は、第１の実施形態に係る検査予約システム１Ａにおける予測滞在時間の取得方法を説明する模式図である。図９の上段の表は、患者Ｘの条件パラメータを示す。図９の下段の表は、平均滞在時間記憶領域２２１ａに記憶されている条件パラメータパターン毎の平均滞在時間を示す。
【００９２】
患者Ｘの条件パラメータパターンは、上段の表の左から２列目に示された患者コードに基づいて電子カルテサーバ２５に記憶された電子カルテから抽出できる。また、空き枠検索を実行する際に、医師等のユーザが患者Ｘの条件パラメータパターンを入力できるよう診察室端末２０及び予約管理サーバ２１ａを構成してもよい。
【００９３】
図９の上段に示すように、患者Ｘの条件パラメータパターンは、検査種別「ＣＴ」、検査部位「頭部」、造影有無「なし」、健診「‐」、年代「２０代」、性別「男性」、障害有無「なし」、歩行状態「歩行可能」、感染症等「なし」、付き添い「なし」である。図９の下段の表において、患者Ｘの条件パラメータと一致するのは、データ行の１行目であり、平均滞在時間は１０分である。従って、空き枠検索機能２３２ａは、患者Ｘの予測滞在時間は１０分であると予測する。
【００９４】
なお、図９では、患者Ｘの条件パラメータパターンと条件パラメータパターンとが完全に一致する場合の平均滞在時間を予測滞在時間とする例を説明したが、図９の態様には限定されない。例えば、患者Ｘの条件パラメータパターンに一致する平均滞在時間が平均滞在時間記憶領域２２１ａに無い場合、空き枠検索機能２３２ａは、患者Ｘの条件パラメータパターンに最も近い条件パラメータパターンの平均滞在時間を予測滞在時間としてもよい。
【００９５】
また、空き枠検索機能２３２ａは、患者Ｘの条件パラメータパターンに最も近い条件パラメータパターンの平均滞在時間に基づいて予測滞在時間を算出してもよい。例えば、空き枠検索機能２３２ａは、患者Ｘの条件パラメータパターンに最も近い条件パラメータパターンの平均滞在時間に所定の時間を加算或いは減算した時間を患者Ｘの予測滞在時間と算出してもよい。所定の時間を加算するか減算するかは、条件パラメータパターンの内一致しない情報項目の性質に応じて予め設定されていてもよい。
【００９６】
例えば、障害有無や歩行状態など、検査室の滞在時間が増える傾向にある情報項目が不一致の場合、平均滞在時間に所定の時間加算してもよい。一方、健診や付き添いなど、検査室の滞在時間が減る傾向にある情報項目が不一致の場合、平均滞在時間から所定の時間減算してもよい。なお、ここで「予め」とは、検査予約システム１Ａの据え付け調整時など、空き枠検索が実行されるよりも前のことである。
【００９７】
図７に戻って、フローチャートの説明を続ける。
【００９８】
ステップＳＴ１２２において、空き枠検索機能２３２ａは、現在時刻に基づいて空き枠の有無の判定対象となる時間帯枠を特定する。現在時刻は、例えば、システム時刻やリアルタイムクロック（ＲＴＣ：Real Time Clock）に基づいて特定される。空き枠検索機能２３２ａは、患者Ｘの検査が行える検査枠であって、現在時刻から一番近い時間帯枠を特定する。即ち、空き枠検索機能２３２ａは、現在時刻が含まれる時間帯枠又は現在時刻は含まれないが現在時刻に一番近い時刻を含む時間帯枠を直近の時間帯枠として特定する。
【００９９】
ステップＳＴ１２３において、空き枠検索機能２３２ａは、空き枠判定対象となる時間帯枠における空き時間を算出する。以下、空き時間の算出処理について図８のフローチャートを参照して説明する。
【０１００】
図８は、第１の実施形態に係る検査予約システムの空き時間算出処理の動作の一例を示すフローチャートである。空き時間の算出方法は、現在時刻において放射線科の窓口で受付を済ませた患者が居るか否かと、空き枠判定対象として特定された時間帯枠に現在時刻が含まれるか否かといった条件に応じて異なる。図８のフローチャートを参照して上記条件に応じた空き時間の算出方法についてフローチャートのステップ番号に従って説明する。
【０１０１】
ステップＳＴ１３１において、受付済且つ未検査の患者が存在するか否かを判定する。受付済且つ未検査の患者とは、現在時刻において既に放射線科の窓口で受付を済ませた患者であって、検査待ち或いは検査中の患者のことである。受付済且つ未検査の患者が存在する場合、ＹＥＳに分岐し、空き枠検索機能２３２ａは、ステップＳＴ１３７に処理を進める。一方、受付済且つ未検査の患者が居ない場合、空き枠検索機能２３２ａは、ステップＳＴ１３２に処理を進める。
【０１０２】
ステップＳＴ１３２において、空き枠判定機能２３２ａは、空き枠判定対象として暫定的に特定された時間帯枠が現在時刻を含むか否かを判定する。現在時刻を基準として患者に対して実施される検査に検査区分が一致する検査枠の時間帯枠の内、一番早い時間帯枠が直近の時間帯枠として特定される。従って、空き枠判定機能２３２ａは、現在時刻を含む時間帯枠又は現在時刻を含まないが現在時刻に一番近い時刻を含む時間帯枠を直近の時間帯枠として特定する。
【０１０３】
空き枠判定対象として暫定的に特定された時間帯枠が現在時刻を含む場合、ステップＳＴ１３２のＹＥＳに分岐し、空き枠検索機能２３２ａは、ステップＳＴ１３５に処理を進める。一方、空き枠判定対象として暫定的に特定された時間帯枠が現在時刻を含まない場合、ＮＯに分岐し、空き枠検索機能２３２ａは、ステップＳＴ１３３に処理を進める。
【０１０４】
ステップＳＴ１３３において、空き枠検索機能２３２ａは、特定された時間帯枠に予約済みのすべての患者の予測滞在時間の合計時間を算出する。
【０１０５】
ステップＳＴ１３４において、空き枠検索機能２３２ａは、特定された時間帯枠におけるすべての予約済患者の予測滞在時間の合計時間を算出し、特定された時間帯の単位時間から、予測滞在時間の合計時間を差し引き、空き時間を算出する。ステップＳＴ１３４では、空き枠判定対象として暫定的に特定された時間帯枠に現在時刻が含まれず且つ現在時刻において受付済且つ未検査の患者が居ない場合における空き時間が算出される。
【０１０６】
具体的には、現在時刻が１０：２０の場合、１０：３０の時間帯枠が空き枠判定対象として特定される。現在時刻が１０：２０であるため、１０：３０の時間帯枠に予約済みの患者がまだ放射線科の窓口で受付をしていない場合がある。この場合空き枠検索機能２３２ａは、１０：３０の時間帯枠に予約済みの患者の条件パラメータパターンに基づいて当該予約済みの患者の予測滞在時間を取得し、時間帯枠の単位時間から差し引いて当該時間帯枠の空き時間を算出する。
【０１０７】
ステップＳＴ１３５において、空き枠検索機能２３２ａは、放射線科の窓口で受付が済んでいない予約済患者が居る場合、当該予約済患者の予測滞在時間の合計時間を算出する。
【０１０８】
ステップＳＴ１３６において、空き枠検索機能２３２ａは、特定された時間帯枠の次の時間帯枠の開始時刻から現在時刻を差し引いた時間を算出し、算出された時間から予約済患者の予測滞在時間の合計時間をさらに差し引き、空き時間を算出する。
【０１０９】
即ちステップＳＴ１３６では、空き枠判定対象として暫定的に特定された時間帯枠に現在時刻が含まれ且つ現在時刻において受付済且つ未検査の患者が居ない場合における空き時間が算出される。なお、特定された時間帯枠では、当該時間帯枠に予約した患者の検査がすべて終わっている場合と、予約済みで放射線科の窓口で受付を済ませていない患者がいる場合とが想定される。従って、空き枠検索機能２３２ａは、予約済みで放射線科の窓口で受付を済ませていない患者の予測滞在時間を加味して空き時間を算出する。
【０１１０】
ステップＳＴ１３７において、空き枠判定機能２３２ａは、空き枠判定対象として暫定的に特定された時間帯枠が現在時刻を含むか否かを判定する。特定された時間帯枠が現在時刻を含む場合、ＹＥＳに分岐し、空き枠検索機能２３２ａは、ステップＳＴ１４０に処理を進める。一方、特定された時間帯枠が現在時刻を含まない場合、空き枠検索機能２３２ａは、ステップＳＴ１３８に処理を進める。
【０１１１】
ステップＳＴ１３８において、空き枠検索機能２３２ａは、特定した時間帯枠の最終退室予定時刻を算出する。ここで、最終退室予定時刻とは、ある時間帯枠の最後の予約済み患者が検査室から退室する予測時刻のことである。
【０１１２】
ステップＳＴ１３９において、空き枠検索機能２３２ａは、特定した時間帯枠の次の時間帯枠の開始時刻から最終退室予定時刻を差し引いて、特定した時間帯枠の空き時間を算出する。
【０１１３】
ステップＳＴ１４０において、空き枠検索機能２３２ａは、暫定的に特定された時間帯枠よりも後の時間帯枠を空き枠判定対象とする。空き枠検索機能２３２ａは、暫定的に特定された時間帯枠よりも後の時間帯枠に予約済みのすべての患者の平均滞在時間の合計時間を算出する。
【０１１４】
即ち、放射線科の窓口に受付済みの患者が居て、現在時刻に基づいて特定された時間帯枠が現在時刻を含む場合、空き枠検索機能２３２ａは、空き枠判定対象の時間帯枠を現在時刻に基づいて特定された時間帯枠の次の時間帯枠と特定する。
【０１１５】
例えば現在時刻が１０：４０の場合、患者Ｘの空き枠検索において特定される時間帯枠は、１０：３０の時間帯枠である。１０：３０の時間帯枠において受付済み且つ未検査の患者が存在する場合、空き枠検索機能２３２ａは、１０：３０の時間帯枠の次の時間帯枠である１１：００の時間帯枠を空き枠判定対象と特定する。
【０１１６】
なお、空き枠検索機能２３２ａは、現在時刻に基づいて特定された時間帯枠よりも後の１つの時間帯枠を空き枠判定対象としてもよいし、現在時刻に基づいて特定された時間帯枠よりも後の複数の時間帯枠を空き枠判定対象としてもよい。以下、現在時刻に基づいて特定された時間帯枠よりも後の複数の時間帯枠を空き枠判定対象とする場合を例として説明する。即ち、暫定的に特定された時間帯枠が１０：３０の場合、１１：００及び１１：３０の時間帯枠が空き枠判定対象となる。
【０１１７】
ステップＳＴ１４１において、空き枠検索機能２３２ａは、暫定的に特定された時間帯枠よりも後の複数の時間帯枠の合計時間を算出する。例えば１１：００及び１１：３０の時間帯枠の２つの時間帯枠の合計時間が算出される。時間帯枠の単位時間は３０分であるので、３０分×２で６０分と算出される。
【０１１８】
ステップＳＴ１４２において、空き枠検索機能２３２ａは、暫定的に特定された時間帯枠よりも後の複数の時間帯枠の合計時間から、当該時間帯枠に予約したすべての患者の予測滞在時間の合計時間を差し引き、空き時間を算出する。
【０１１９】
以上が図８のフローチャートにおける空き時間算出処理の説明である。以下、図１０を参照して図８の空き時間算出処理を補足的に説明する。
【０１２０】
図１０は、第１の空き枠検索における空き時間の算出方法を説明する模式図である。図１０の表は、検査予約記憶領域２２２ａに記憶された検査予約一覧である。
【０１２１】
図１０の表の検査予約一覧のタイトル行の１行目に示すように、検査予約一覧は、検査予約、実績、及び予測の３つの情報項目群を含む。検査予約は、検査内容に関する情報項目群であり、実績は、最新の進捗状況を示す情報項目群であり、予測は、予約済み患者の検査室への入退室予定時刻に関する情報項目群である。検査予約には、時間帯、検査枠、定員、検査コード、及び患者名の各情報項目が含まれる。実績には、受付、検査を含み、実績入室時刻、及び実績退室時刻の各情報項目が含まれる。予測には、入室予定時刻、予測滞在時間（分）、及び退室予定時刻の各情報項目が含まれる。
【０１２２】
検査予約一覧において実績を示す項目は、ＲＩＳ３Ａ側での検査の進捗状況に応じて、検査予約更新機能３２１ａにより更新される項目である。例えば、予約済みの患者が診察室から放射線科に移動し放射線科の窓口で受付が済むと、検査予約更新機能３２１ａは、検査予約の受付の項目を「済」にする。また、検査予約更新機能３２１ａは、実績入室時刻及び実績退室時刻が入退室時刻記憶領域３１２ａに記憶される度に、検査予約一覧の実績入室時刻及び実績退室時刻に時刻を追加する。さらに、検査予約更新機能３２１ａは、検査予約一覧に実績退室時刻を追加すると共に、検査の項目を「済」にする。
【０１２３】
空き枠検索機能２３２ａは、検査予約一覧において検査予約の受付の項目が「済」且つ検査の項目が空白である場合、受付済且つ未検査の患者が存在すると判定する。
【０１２４】
以下、現在時刻を含まない時間帯枠が空き枠判定対象として特定され、特定された時間帯枠に受付済み患者が居る場合の処理（図８のステップＳＴ１３８〜ＳＴ１３９）を例として説明する。
【０１２５】
図１０では、患者Ｘの検査予約について、医師が空き枠検索を実行した時刻が１０：２０である場合を例として説明する。患者Ｘに対して実施予定の検査は、非造影のＸ線ＣＴ検査である。従って、患者Ｘの検査が行える検査枠は、単純である。現在時刻が１０：２０である場合、特定される時間帯枠は、検査枠が単純である１０：３０の時間帯枠である。
【０１２６】
空き枠検索機能２３２ａは、１０：３０の時間帯枠の空き時間を算出することで、１０：３０の時間帯枠に患者Ｘが予約可能かを判定する。
【０１２７】
１０：３０の時間帯枠には、予約済みの患者Ｄ（データ行の４行目）及び予約済みの患者Ｅ（データ行の５行目）の２つの検査が予約されている。
【０１２８】
患者Ｄ及び患者Ｅの受付の項目は共に「済」であり、検査の項目は空白である。一方、検査予約一覧において患者Ｄの実績入室時刻が入力済みであり、患者Ｄについて検査が進行中であることを示している。即ち、受付済且つ未検査の患者が存在する。従って空き枠検索機能２３２ａは、ステップＳＴ１３１のＹＥＳに分岐し、ステップＳＴ１３７に処理を進める。
【０１２９】
次に、空き枠検索機能２３２ａは、特定された１０：３０の時間帯枠に現在時刻が含まれるか否かを判定する（ステップＳＴ１３７の処理）。現在時刻は１０：２０であるので１０：３０の時間帯枠は、現在時刻を含まない。即ち、空き枠検索機能２３２ａは、ステップＳＴ１３７のＮＯに分岐し、ステップＳＴ１３８に処理を進める。
【０１３０】
空き枠検索機能２３２ａは、特定された１０：３０の時間帯枠における最終退出時刻を算出する（ステップＳＴ１３８）。空き枠検索機能２３２ａは、まず、患者Ｄの退室予定時刻を予測する。空き枠検索機能２３２ａは、患者Ｄの条件パラメータパターンに基づいて平均滞在時間記憶領域２２１ａを検索して平均滞在時間を取得する。空き枠検索機能２３２ａは、取得した平均滞在時間を予測滞在時間とし、実績開始時刻に予測滞在時間を加算して患者Ｄの退室予定時刻を算出する。患者Ｄの実績入室時刻は１０：１５であり、予測滞在時間は１０分であるため、退室予定時刻は１０：２５と予測される。
【０１３１】
次に、空き枠検索機能２３２ａは、患者Ｅの退室予定時刻を予測する。患者Ｅはまだ検査室に入室していないので、患者Ｄの退室予定時刻に基づいて、患者Ｅの入室予定時刻が予測される。前の患者が退室してから次の患者が入室するまでの時間を例えば１分とすると、患者Ｄの退室予定時刻に１分を加算した１０：２６が患者Ｅの入室予定時刻となる。
【０１３２】
なお、前の患者が退室してから次の患者が入室するまでの時間は、病院毎、検査室毎に予め決められていてもよいし、退室する患者と入室する患者の条件パラメータパターンに応じて算出された時間であってもよい。なお、ここで「予め」とは、上述同様である。
【０１３３】
患者Ｅの入室予定時刻である１０：２６に患者Ｅの予測滞在時間の１０分を加算すると、患者Ｅの退室予定時刻は１０：３６であると予測できる。１０：３０の時間帯枠の予約済み患者はもういないので、患者Ｅの退室予定時刻が１０：３０の時間帯枠における最終退室予定時刻となる。
【０１３４】
空き枠検索機能２３２ａは、１０：３０の時間帯枠の次の時間帯枠の開始時刻１１：００から最終退室予定時刻を差し引いて、１０：３０の時間帯枠の空き時間を２４分と算出する（ステップＳＴ１３９）。
【０１３５】
なお、図１０の表において１０：００の時間帯枠の検査枠が単純である場合、空き枠検索機能２３２ａは、１０：００の時間帯枠を直近の時間帯枠と特定する。現在時刻が１０：２０の場合、１０：００の時間帯枠は、現在時刻を含む時間帯枠である。この場合、空き時間算出処理において空き枠検索機能２３２ａは、ステップＳＴ１４０に処理を進める。
【０１３６】
現在時刻において受付済且つ未検査の患者が居て、現在時刻に基づいて特定された時間帯枠が現在時刻を含む場合、空き枠検索機能２３２ａは、現在時刻に基づいて特定された時間帯枠の次以降の時間帯枠を空き枠判定対象として特定する（ステップＳＴ１４０）。現在時刻が１０：４０の場合、患者Ｘの空き枠検索において特定される時間帯枠は、１０：３０の時間帯枠であり、１０：３０の時間帯枠の次は１１：００の時間帯枠である。
【０１３７】
例えば、図１０において、１１：００及び１１：３０の時間帯枠には、患者Ｆから患者Ｉの４名が予約済みである。空き枠検索機能２３２ａは、これらの患者の条件パラメータパターンに基づいて予測滞在時間をそれぞれ取得し、取得した予測滞在時間を合計する。例えば、患者Ｆから患者Ｉの４名の予測滞在時間の合計時間が４５分であった場合、１１：００及び１１：３０の時間帯枠の合計時間は６０分であるから、空き時間は１５分と算出される。
【０１３８】
なお図１０の検査予約一覧において、空き枠検索実行時に受付及び検査の項目が両方とも「済」又は受付及び検査の項目が両方とも空白である場合、空き枠検索機能２３２ａは、受付済み且つ未検査の患者が居ないと判定する（ステップＳＴ１３１でＮＯに分岐）。
【０１３９】
特定された時間帯枠に現在時刻が含まれない場合（ステップＳＴ１３２でＮＯに分岐）、空き枠検索機能２３２ａは、ステップＳＴ１３３に処理を進める。
【０１４０】
例えば図１０の検査予約一覧において、現在時刻が１０：５０であり、現在時刻に基づいて１１：００の時間帯枠が特定された場合を例として説明する。図１０の検査予約一覧に示すように、１１：００の時間帯枠の患者Ｆ及び患者Ｇは受付及び検査の項目は共に空白である。この場合、空き枠検索機能２３２ａは、特定された１１：００の時間帯枠に予約済みの患者Ｆ及び患者Ｇの予測滞在時間の合計時間を算出する。患者Ｆ及び患者Ｇの予測滞在時間がそれぞれ１０分の場合、予測滞在時間の合計時間は２０分であり、１１：００の時間帯枠の単位時間である３０分から２０分を引いて空き時間は、１０分と算出される。
【０１４１】
一方特定された時間帯枠が現在時刻を含む場合（ステップＳＴ１３２でＹＥＳに分岐）、空き枠検索機能２３２ａは、ステップＳＴ１３５に処理を進める。
【０１４２】
例えば図１０の検査予約一覧において、現在時刻が１１：１０であり、患者Ｆの検査が完了し、患者Ｇが放射線科の窓口に受付していない場合を例として説明する。患者Ｘの検査は、非造影検査であり、空き枠検索機能２３２ａは、現在時刻に基づいて直近の時間帯枠である１１：００の時間帯枠を空き枠判定対象と特定する。時間帯枠１１：００の次の時間帯枠は１１：３０であり、１１：３０から現在時刻の１１：１０を差し引いた時間は２０分である。予約済みで未受付の患者Ｇの予測滞在時間が１０分である場合、時間帯枠１１：００の空き時間は、１０分と算出される
【０１４３】
以上が、図８のフローチャートにおける空き時間算出処理の説明である。図７に戻って、空き枠検索に関するフローチャートの説明を続ける。
【０１４４】
ステップＳＴ１２４において、空き枠検索機能２３２ａは、ステップＳＴ１２３の空き時間算出処理で算出された空き時間が患者Ｘの予測滞在時間以上であるか否か判定する。空き時間が患者Ｘの予測滞在時間以上である場合、ＹＥＳに分岐し、空き枠検索機能２３２ａは、ステップＳＴ１２６に処理を進める。一方、空き時間が患者Ｘの予測滞在時間未満である場合、ＮＯに分岐し、空き枠検索機能２３２ａは、ステップＳＴ１２５に処理を進める。
【０１４５】
ステップＳＴ１２５において、空き枠検索機能２３２ａは、次の時間帯枠を空き枠判定対象として特定し、空き時間を算出するためにステップＳＴ１２３に処理を戻す。ステップＳＴ１２２において暫定的に特定された時間帯枠が１０：３０の場合、次の時間帯枠は、１１：００の時間帯枠である。
【０１４６】
ステップＳＴ１２６において、空き枠検索機能２３２ａは、空き状況表示を生成し、診察室端末２０のディスプレイ２７に表示する。図９の例では、患者Ｘの予測滞在時間は１０分であり、１０：３０の時間帯枠の空き時間が２４分の場合、空き時間は患者Ｘの予測滞在時間よりも長い。空き枠検索機能２３２ａは、図１０の例で特定された１０：３０の時間帯枠を空き枠として空き状況表示を生成する。
【０１４７】
図１１は、第１の実施形態に係る検査予約システム１Ａにおける空き状況表示を説明する表である。図１１は、６月３日の空き状況内訳Ｄ３を示している。６月３日の空き状況内訳Ｄ３では、検査実施済みの時間帯枠を選択できない項目としてグレースケールのハッチングを付し、選択可能な項目とは区別して示す。
【０１４８】
図１１に示すように、空き枠として特定された時間帯枠は、６月３日の空き状況内訳Ｄ３のデータ行の４行目にある１０：３０の時間帯枠である。１０：３０の時間帯枠の予約人数／定員の項目は「２／４」、空き状況は「※２」である。
【０１４９】
空き枠検索機能２３２ａは、ステップＳＴ１２５の処理において、１０：３０の時間帯枠に患者Ｘの検査を予約可能であると判定する。患者Ｘの予測滞在時間は１０分であり、１０：３０の時間帯枠における空き時間はそれより長い２４分だからである。この場合、空き枠検索機能２３２ａは、患者Ｘの予測滞在時間を基準としてあと２人分の空き枠があると旨を表示する。即ち、空き枠検索機能２３２ａは、予め定められた定員２名に新たに予約可能な２名を加算し、定員４名で６月３日の空き状況内訳Ｄ３を生成する。
【０１５０】
空き枠検索機能２３２ａにより予め定められた定員によらず空き状況を表示する場合、予め定められた定員に基づいて空き状況を表示する場合と区別するため、空き状況には空き枠数を示す数字（図１１の例では「２」）の前に「※」が表示される。
【０１５１】
なお、空き時間ありと判定された時間帯枠の表示は、図１１の態様には限定されない。例えば、空き時間ありと判定された時間帯枠のデータ行に有彩色を割り当てて他のデータ行と識別表示してもよい。
【０１５２】
図７に戻って、フローチャートの説明を続ける。
【０１５３】
ステップＳＴ１２７において、医師等のユーザは、診察室端末２０のディスプレイ２７に表示された６月３日の空き状況内訳Ｄ３に基づいて、患者Ｘの検査予約を実行する。図１１の例では、医師等は、６月３日の空き状況内訳Ｄ３の１０：３０の時間帯枠を選択し、患者Ｘの予約を実行する。
【０１５４】
ステップＳＴ１２８において、検査予約機能２３１ａは、検査予約記憶領域２２２ａに格納された検査予約一覧に患者Ｘの検査予約を追加する。
【０１５５】
以上が、図７のフローチャートの説明である。以下、検査予約一覧に患者Ｘの検査予約を追加する方法を図１２を用いて補足的に説明する。
【０１５６】
図１２は、第１の実施形態に係る検査予約システム１Ａにおける検査予約の追加を説明する表である。図１２の表は、図１０に示した６月３日の検査予約一覧に、患者Ｘの予約が追加された表を示している。
【０１５７】
図１２に示すように、患者Ｘの予約は、１０：３０の時間帯枠の患者Ｅの後に追加される。即ち、予め定められた定員が２名である１０：３０の時間帯枠について新たな検査予約の追加が可能であり、定員を超えた予約が可能である。このように、第１の実施形態に係る検査予約システム１Ａは、予め定められた定員によらず、検査の進捗状況に応じて発生し得る空き時間が、未予約患者の予測滞在時間以上である場合、予約が可能である。
【０１５８】
次に、現在時刻を基準として所定時間後の検査枠を空き枠判定対象とした第２の空き枠検索について説明する。
【０１５９】
図１３は、第１の実施形態に係る検査予約システム１Ａの第２の空き枠検索の動作の一例を示すフローチャートである。図１３は、図７と同様に、診察室にいる医師が、患者Ｘについて新規に検査予約を行う場合を例として説明する。なお、第１の空き枠検索を説明する図７のフローチャートと同一の処理には同一の番号を付し、説明を省略する。
【０１６０】
ステップＳＴ１５１において、空き枠検索機能２３２ａは、現在時刻から所定の時間後の検査枠グループを特定する。検査枠グループとは、同一の検査枠が連続する複数の時間帯枠に跨る連続した時間帯枠である。また、所定の時間とは、病院の運営において予め定められた時間である。なお、「予め」は、前述同様である。
【０１６１】
また、所定の時間は、一律でなくてもよく、現在時刻に応じて定められていてもよい。例えば、現在時刻に基づいて直近の時間帯枠が使用不可の時間帯枠の直前の時間帯枠である場合、空き枠検索機能２３２ａは、使用不可の時間帯枠の後の時間帯枠を空き枠判定対象とするように空き枠検索機能２３２ａを構成してもよい。
【０１６２】
ステップＳＴ１５２において、空き枠検索機能２３２ａは、空き枠判定対象として特定された検査枠グループの予約済み患者の予測滞在時間を算出し、算出されたすべての予測滞在時間を合計する。
【０１６３】
ステップＳＴ１５３において、空き枠検索機能２３２ａは、空き枠判定対象の検査枠グループの総時間を算出し、予約済み患者の予測滞在時間の合計を検査枠グループの総時間から差し引き、検査枠グループの空き時間を算出する。
【０１６４】
ステップＳＴ１２４において、空き枠検索機能２３２ａは、検査枠グループの空き時間が患者Ｘの予測滞在時間以上か否かを判定する。検査枠グループの空き時間が患者Ｘの予測滞在時間以上の場合、ＹＥＳに分岐し、ステップＳＴ１２６において空き状況表示が生成され、診察室端末２０のディスプレイに表示される。検査枠グループの空き時間が患者Ｘの予測滞在時間未満の場合は、ＮＯに分岐し、空き枠検索機能２３２ａは、ステップＳＴ１５４へ処理を進める。
【０１６５】
ステップＳＴ１５４において、空き枠検索機能２３２ａは、空き枠無しと判定された検査枠グループの次に患者に対して実施される検査に検査枠が一致する検査枠グループを空き枠判定対象と特定し、ステップＳＴ１５２に戻って空き時間を算出する。
【０１６６】
以上が、第２の空き枠検索の動作である。以下、第２の空き枠検索の方法を図１４を用いて補足的に説明する。
【０１６７】
図１４は、第２の空き枠検索における空き枠の判定方法を説明する模式図である。図１４は、図１２と同様に、６月３日の検査予約一覧を示している。
【０１６８】
患者Ｘの検査枠は単純である。現在時刻が１１：２０である場合、第１の空き枠検索では、１１：３０の時間帯枠について空き枠検索が実行される。しかしながら、１１：３０の時間帯枠は、検査室が使用不可となる直前の時間帯である。
【０１６９】
検査室が使用不可の時間帯は、モダリティの調整等のシステムメンテナンスの時間に割り当てられている場合がある。１１：３０の時間帯枠において何らかのトラブルが発生し、検査が長引いた場合、システムメンテナンスの時間に影響を与える可能性がある。従って、検査室が使用不可となる直前の時間帯には当日発生した検査予約を割り当てないように検査予約システム１Ａを運用することもできる。この場合、第２の空き枠検索を利用できる。
【０１７０】
第２の空き枠検索では、空き枠検索機能２３２ａは、患者Ｘが予約すべき単純枠の検査枠グループを特定する。単純が連続する検査枠グループは、検査予約一覧の１３：００の時間帯枠から１４：３０の時間帯枠の４枠の時間帯枠を含む。各時間帯枠の単位時間は３０分であるため、検査枠グループの総時間は、３０分×４枠＝１２０分である。
【０１７１】
また、空き枠検索機能２３２ａは、検査枠グループの予約済み患者の予測滞在時間を患者の条件パラメータパターンに基づいて予測する。検査枠グループに予約済みの患者Ｊから患者Ｑの８人の患者の予測滞在時間の合計は、１０２分である。従って、空き枠検索機能２３２ａは、検査枠グループの総時間１２０分から予約済み患者の予測滞在時間の合計１０２分を差し引き、検査枠グループの空き時間を１８分と算出する。
【０１７２】
患者Ｘの予測滞在時間は１０分であるため、検査枠グループのいずれかの時間帯枠に患者Ｘの検査予約が可能である。例えば、空き枠検索機能２３２ａは、当日発生した未予約患者の予約を検査枠グループに含まれる時間帯枠の最後に入れることで、既に予約済みの患者を優先してもよい。例えば、図１４において、空き枠検索機能２３２ａは、１４：３０の時間帯枠を空き枠として特定してもよい。
【０１７３】
また、空き時間は、検査が前倒しになれば、検査枠グループの中間に位置する時間帯枠で発生することが予測される。従って、空き枠検索機能２３２ａは、中間に位置する１３：３０又は１４：００の時間帯枠を空き枠として特定してもよい。さらに、空き枠検索機能２３２ａは、１３：００の時間帯枠から１４：３０の時間帯枠の４枠のいずれかをユーザに選択させるような空き状況をディスプレイ２７に表示させてもよい。
【０１７４】
第１の実施形態に係る検査予約システム１Ａによれば、患者の条件パラメータパターン毎に平均滞在時間を蓄積することで、患者の予測滞在時間を正確に予測することができる。また、検査の進捗状況に応じて検査予約一覧をリアルタイムに更新し、検査の進捗状況に応じた方法で空き時間を算出することで効率よく空き枠を特定できる。さらに、予測滞在時間に応じて、予め設定された定員に拘らず空き状況を表示することにより、実際の検査室の空き状況に応じた表示を診察室にいる医師等のユーザに提供できる。
【０１７５】
これにより、医師等のユーザは、診察室に居ながら検査室のリアルタイムの状況に応じた動的な検査予約が可能となる。この結果、検査室の空き時間を有効活用できると共に、患者の来院回数を減らしうる。
【０１７６】
なお、図３〜図１４では、時間帯枠に設定された定員に依存しない当日の空き枠検索方法及び当該空き枠への予約方法を説明した。しかしながら、定員に依存しない空き枠検索及び当該空き枠への予約方法は、当日には限定されない。即ち、翌日以降の空き枠検索においても第１の実施形態で説明した技術思想を適用できる。
【０１７７】
図１５は、翌日以降を含む空き状況表示を説明する表である。図１５の６月の空き状況表示Ｄ４は、空き状況の月間表示を示している。図１５は、未予約患者の条件パラメータパターンから算出された予測滞在時間に基づいて、月単位の空き状況表示に、定員に依存しない空き状況を表示する例を示している。
【０１７８】
図１５に示すように、現在の日時は２０１６／６／３  ９：４５である。６月の空き状況表示Ｄ４において、当日は空き枠が無いが、翌日の６月４日の午前中に「※１」が表示されている。即ち、６月の空き状況表示Ｄ４は、未予約患者の予測滞在時間に基づいて、翌日の６月４日の午前中に１件分の空き時間があることを示している。
【０１７９】
なお、定員に依存しない空き時間に基づく空き枠表示は、例えば、定員が一杯の日にのみ実行されるように空き枠検索機能２３２ａが構成されてもよいし、すべての日に実行されてもよい。
【０１８０】
このように、翌日以降についても患者の予測滞在時間に基づいて空き枠検索を行うことで、定員に基づいた空き枠検索であれば予約できない日を空き枠として表示することができる。従って、第１の実施形態に係る検査予約システム１Ａによれば、患者の予約可能な日程の選択肢を増やすことが可能となる。また、定員に基づいた空き枠検索で検索された予約可能な日程よりも早い日程で検査予約を設定でき、早期診断、早期治療に寄与する。
【０１８１】
また、患者の条件パラメータパターンに基づいて予測滞在時間を算出する技術思想は、予測滞在時間が長い患者の予約についても利用できる。例えば、ある患者の予測滞在時間が時間帯枠の単位時間とほぼ等しい場合において、当該患者を定員２名の時間帯枠に予約したとき、定員に基づく空き枠検索では、当該時間帯に１名の空き枠が表示される。また、１名の空きがある時間帯枠に当該患者が予約できてしまう。初めに予約された患者の予測滞在時間が時間帯枠の単位時間とほぼ等しいため、当該時間帯枠に２名予約された場合、検査の実施に遅延が生じることが予測される。
【０１８２】
そこで、予測滞在時間が長い患者の場合、予測滞在時間に応じて１名であっても２名分として予約されるよう検査予約システム１Ａを構成してもよい。
【０１８３】
図１６は、予測滞在時間が長い場合の予約方法を説明する模式図である。図１６の上段表は、患者Ｙの条件パラメータパターンと、条件パラメータパターンから推定される予測滞在時間を示している。図１６の中段の表は、６月３日の空き状況内訳を示している。図１６の下段の表は、患者Ｙの検査予約を追加した後の検査予約一覧を示している。
【０１８４】
患者Ｙの条件パラメータパターンは、検査種別「ＣＴ」、検査部位「腹部」、造影有無「なし」、健診「‐」、年代「９０代」、性別「女性」、障害有無「聴覚」、歩行状態「ストレッチャー」、感染症等「なし」、付き添い「あり」であり、予測滞在時間は２５分である。
【０１８５】
時間帯枠の単位時間が３０分の場合、患者Ｙの予測滞在時間は、時間帯枠に設定された時間をほぼすべて使用することが予測される。検査予約システムは、定員に基づいて予約できたので、定員２名の内１名が予約済みの時間帯枠に患者Ｙの予約ができた。例えば、６月３日の空き状況内訳の５行目のデータ行に示した１１：００の時間帯枠は予約人数／定員「１／２」であり、患者Ｙは１１：００の時間帯枠に予約可能であった。
【０１８６】
しかしながら、１１：００の時間帯枠に予約された患者の検査が１１：００から開始され、検査時間が５分以上かかった場合、患者Ｙの検査により次の時間帯枠に予約された患者の検査開始時間が遅れる。
【０１８７】
従って、ある時間帯枠の許容滞在時間よりも、滞在時間が長いと予測される患者が当該時間帯枠に予約しようとした場合、検査時間が次の時間帯枠に影響を与える旨を表示するように検査予約システム１Ａは構成されてもよい。ここでの許容滞在時間とは、ある時間帯枠の時間を当該時間帯枠の定員数で割った時間であり、患者１人あたりに割り当てても後の予約に遅延をきたさない時間である。
【０１８８】
また、患者Ｙの検査予約を予約人数／定員「０／２」の１０：３０の時間帯枠に予約した場合、他の患者について空き枠検索が実行された場合、予約人数／定員「２／２」と表示するように空き枠検索機能２３２ａを構成してもよい。
【０１８９】
即ち、単位時間３０分の時間帯枠に対して定員が２名である場合、許容滞在時間は１５分となる。患者の予測滞在時間が１５分を上回る場合、同等の条件パラメータパターンの患者が同じ時間帯枠に予約した場合、次の時間帯枠に影響を及ぼす可能性がある。
【０１９０】
そこで、許容滞在時間よりも滞在時間が長いと予測される患者が定員２名の時間帯枠を予約した場合、空き枠検索機能２３２ａは、１人の予約であっても空き状況表示の予約人数／定員「２／２」と表示するようにしてもよい。即ち、空き枠検索機能２３２ａは、予約する患者が１名であっても２人予約されているよう空き状況表示を生成する。
【０１９１】
なお、患者Ｙのように予測滞在時間が長い患者が予約されている時間帯枠であっても、未予約患者の予測滞在時間が５分以内であれば、空き状況表示の予約人数／定員「１／２」と表示してもよい。
【０１９２】
このように、患者の予測滞在時間を利用して、未予約患者の条件に合わせて空き状況を表示することで、検査予約システムを従来よりも柔軟に運用することができる。また、予約された患者の検査室における滞在時間が時間帯枠に設定された単位時間を超えないように検査予約されるため、患者の待ち時間を短縮しうる。
【０１９３】
［第２の実施形態］
第１の実施形態では、診察室端末２０からの検査予約について説明した。しかしながら、検査予約を行うのは診察室端末２０には限定されない。検査予約は、検査室に設置された放射線科端末３４から実行される場合もある。
【０１９４】
例えば、入院患者の診察では、予約日未定で検査オーダが発行される場合がある。この場合、検査予約システムでは、予約日未定の検査オーダについて当日の検査室の空き状況に応じて、放射線技師等のユーザの判断で予約日未定の検査を実施していた。放射線技師等のユーザは、当日の検査の進捗状況に応じて空き時間が生じそうな場合、当該空き時間に検査に来るよう病棟の医療従事者に内線などで連絡していた。
【０１９５】
第２の実施形態は、放射線技師等のユーザが放射線科端末３４から入院患者の予約日未定の検査について予約を実行し、予約が確定した旨を病棟へ通知する機能を有する検査予約システムに関する。
【０１９６】
（１）構成
図１７は、第２の実施形態に係る検査予約システム１Ｂの一例を示す構成図である。図１７の検査予約システム１Ｂは、ＨＩＳ２Ｂ、ＲＩＳ３Ｂに加えて病棟システム４Ｂを備える。
【０１９７】
病棟システム４Ｂは、電子ネットワーク１ＮＷ経由で、ＨＩＳ２Ｂ及びＲＩＳ３Ｂに相互接続される。
【０１９８】
また、病棟システム４Ｂは、複数の病棟端末４０を備える。病棟端末４０は、例えば一般的なパーソナルコンピュータで構成され、ナースステーションや病棟のフロア毎に設置される。病棟端末４０には、例えば、患者の入退院、処置、及び手術等のスケジュールが表示され、患者に対して行われた処置が病棟端末４０から入力される。なお、病棟端末４０は、空床管理や病棟管理用のワークステーションであってもよい。
【０１９９】
第２の実施形態に係る検査予約システム１Ｂは、予約日未定の検査について予約日が設定されたことを示す病棟連絡を、当該予約が確定した検査の患者が入院している病棟の病棟端末４０に表示する。
【０２００】
図１８は、第２の実施形態に係る検査予約システム１Ｂの機能構成例を示すブロック図である。
【０２０１】
ＨＩＳ２Ｂの予約管理サーバ２１ｂの処理回路２３ｂは、検査予約機能２３１ｂ、空き枠検索機能２３２ｂ、及び平均滞在時間算出機能２３３ａを有する。なお、検査予約機能２３１ｂ、空き枠検索機能２３２ｂ、及び平均滞在時間算出機能２３３ａは、記憶回路２２ｂに格納されているプログラムを処理回路２３ｂのプロセッサが実行することによって実現される機能である。
【０２０２】
検査予約機能２３１ｂは、第１の実施形態の検査予約機能２３１ａに加えて、予約日未定の検査の予約を検査予約一覧に追加する機能を有する。また、検査予約機能２３１ｂは、病棟連絡を生成し、病棟端末４０のディスプレイ４３に病棟連絡を表示する。病棟連絡には、予約日未定の検査について予約が設定されたことが表示される。また、検査予約機能２３１ｂは、病棟端末４０から病棟連絡の確認通知を受信し、当該確認通知を放射線科サーバ３０ｂに送信する。病棟連絡の詳細については、後述の図２１で説明する。
【０２０３】
空き枠検索機能２３２ｂは、第１の実施形態の空き枠検索機能２３２ａに加えて、予約日未定の検査の条件パラメータパターンに基づいて、予測滞在時間を取得する機能を有する。空き枠検索機能２３２ｂは、算出された予測滞在時間に基づいて、空き枠を検索する。空き枠検索機能２３２ｂは、検索された空き枠に基づいて空き状況表示を生成し、放射線科端末３４に表示する。
【０２０４】
ＲＩＳ３Ｂの放射線科サーバ３０ｂの記憶回路３１ｂは、検査オーダ記憶領域３１１ｂ及び入退室時刻記憶領域３１２ａを有する。
【０２０５】
検査オーダ記憶領域３１１ｂは、第１の実施形態の検査オーダ記憶領域３１１ａに記憶された検査オーダ一覧に加えて、予約日未定の検査一覧を記憶する。予約日未定の検査は、入院患者の診察において、予約日未定の状態で発行された検査オーダのことである。即ち、予約日未定の検査オーダは、検査予定日及び検査予定時間帯枠の項目が空白の検査オーダとして、検査オーダ記憶領域３１１ｂに記憶される。予約日未定の検査一覧の詳細は、後述の図２０で説明する。
【０２０６】
ＲＩＳ３Ｂの放射線科サーバ３０ｂの処理回路３２ｂは、検査予約更新機能３２１ａ及び予約日未定検査予約機能３２２ｂを有する。なお、検査予約更新機能３２１ａ及び予約日未定検査予約機能３２２ｂは、記憶回路３１ｂに格納されているプログラムを処理回路３２ｂのプロセッサが実行することによって実現される機能である。
【０２０７】
予約日未定検査予約機能３２２ｂは、検査オーダ記憶領域３１１ｂから予約日未定の検査一覧を取得し、放射線科端末３４に表示させると共に、予約日未定の検査一覧に基づいて当日の空き枠検索を実行する。また、検索された空き枠に予約日未定の検査の予約を実行する。さらに、予約日未定検査予約機能３２２ｂは、予約管理サーバ２３ｂから病棟連絡が完了した旨の通知を受信し、検査オーダ記憶領域３１１ｂに記憶されている予約日未定の検査一覧を更新する。予約日未定の検査一覧の更新の詳細については、後述の図２１で説明する。
【０２０８】
（２）動作
図１９は、第２の実施形態に係る検査予約システム１Ｂの動作の一例を示すフローチャートである。
【０２０９】
ステップＳＴ２０１において、放射線技師等のユーザは、検査室に設置された放射線科端末３４を操作し、検査オーダ一覧記憶領域３１２ｂを検索し、予約日未定の検査一覧を放射線科端末３４のディスプレイに表示する。放射線技師等のユーザは、表示された予約日未定の検査一覧に基づいて当日の空き枠に予約日未定の検査の検査予約を割り当てる。
【０２１０】
ステップＳＴ２０２において、予約日未定検査予約機能３２２ｂは、予約を実行する予約日未定の検査をＨＩＳ２Ｂの空き枠検索機能２３２ｂに送信する。
【０２１１】
ステップＳＴ２０３において、空き枠検索機能２３２ｂは、予約日未定の検査の条件パラメータパターンに基づいて、予約日未定の検査の対象患者の予測滞在時間を取得する。
【０２１２】
ステップＳＴ２０４において、空き枠検索機能２３２ｂは、予約日未定の検査について取得された予測滞在時間に基づいて、当日の空き枠検索を実行する。
【０２１３】
ステップＳＴ２０５において、検査予約機能２３１ｂは、空き枠検索により抽出された空き枠に予約日未定の検査の予約を割り当てる。なお、空き枠検索機能２３２ｂは、抽出した空き枠に基づいて空き状況表示を生成し、放射線科端末３４に表示する。放射線技師等のユーザは、放射線科端末３４に表示された空き状況表示に基づいて、予約日未定の検査の予約を入れる。予約日未定検査予約機能３２２ｂは、空き状況表示に基づいて指定された空き枠に予約日未定の検査を予約する旨を検査予約機能２３１ｂに送信する。検査予約機能２３１ｂは、検査予約一覧を更新する。
【０２１４】
ステップＳＴ２０６において、検査予約機能２３１ｂは、病棟連絡を生成し、病棟端末４０に病棟連絡を送信する。
【０２１５】
ステップＳＴ２０７において、病棟の医療従事者は、病棟端末４０において、病棟連絡を確認する。
【０２１６】
ステップＳＴ２０８において、検査予約機能２３１ｂは、病棟端末４０から病棟連絡の確認の通知を受信すると、予約日及び病棟連絡が完了した旨を予約日未定検査予約機能３２２ｂに送信する。予約日未定検査予約機能３２２ｂは、予約が完了した検査オーダに予約日時を追加し、病棟連絡が完了した旨を登録する。
【０２１７】
以上が図１９のフローチャートの説明である。以下、予約日未定の検査について当日の空き枠に検査予約を割り当て、病棟連絡が完了した旨を登録する方法について図２０及び図２１を参照して補足的に説明する。
【０２１８】
図２０は、第２の実施形態に係る検査予約システム１Ｂの予約日未定の検査一覧を説明する表である。図２０の表は、入院患者の予約日未定の検査一覧を示している。図２０の表のタイトル行に示すように、予約日未定の検査一覧は、左から、予約順、検査種別、検査枠、検査コード、患者名、部位、病棟、条件パラメータパターンの項目を含む。
【０２１９】
予約順は、検査オーダが発行された順番を示している。予約順の数字が小さいほど、先に発行された検査オーダである。病棟は、入院患者が入院している病室がある病棟を示している。
【０２２０】
図２１は、第２の実施形態に係る検査予約システム１Ｂにおける病棟連絡及び予約日時が設定された検査オーダを説明する模式図である。図２１の上段は、病棟連絡の表示例を示す。図２１の下段の表は、予約日未定の検査一覧を示す。図２１の下段の表は、予約順が１の予約日未定の検査オーダについて、予約時間帯が設定され、病棟連絡に完了が登録された例を示している。
【０２２１】
図２１の下段の表は、予約順が１の患者ＡＡの検査が当日の１４：３０の時間帯枠に予約された例を示している。検査予約機能２３１ｂは、患者ＡＡの検査が当日の１４：３０の時間帯枠に予約された旨を患者ＡＡの病室のある病棟に連絡する。図２１の表の左から７列目に示すように患者ＡＡの病室は、南棟１Ｆである。従って、検査予約機能２３１ｂは、南棟１Ｆのフロアを管轄するナースステーションの病棟端末４０に病棟連絡を送信する。
【０２２２】
病棟連絡には、南棟１Ｆの患者ＡＡについて、ＣＴ検査室に本日の１４：３０に検査が予約された旨が表示される。病棟端末４０で病棟連絡を確認した医療従事者は、病棟連絡のＯＫボタンＧ１を押下する。病棟端末４０は、病棟連絡のＯＫボタンＧ１が押下されたことを示す確認通知を検査予約機能２３１ｂに送信する。検査予約機能２３１ｂは、確認通知を受信し、病棟連絡が完了した旨を放射線科サーバ３０ｂの予約日未定検査予約機能３２２ｂに通知する。
【０２２３】
予約日未定検査予約機能３２２ｂは、患者ＡＡの検査オーダの病棟連絡の欄に完了を登録する。また、予約日未定検査予約機能３２２ｂは、図２１の下段に示す表を放射線科端末３４に表示するよう構成されてもよい。
【０２２４】
なお、放射線科端末３４に表示された空き状況表示に基づいて放射線技師等のユーザが空き枠を選択し、放射線技師等のユーザが予約日未定の検査の予約を実行する場合を例として説明したが、上述の態様には限定されない。例えば、空き枠検索機能２３２ｂが抽出した空き枠に予約日未定の検査の予約を自動で割り当て、空き枠検索機能２３２ｂが割り当てた空き枠に検査予約機能２３１ｂが検査予約を行うよう検査予約システム１Ｂを構成してもよい。
【０２２５】
また、図２１では予約日未定の１つの検査オーダについて、予約を設定する場合を例として説明したが、予約日未定の複数の検査について纏めて予約時間帯を設定するように検査予約システム１Ｂを構成してもよい。さらに、予約日未定の検査オーダの予約順に拘らず、予約日未定の検査オーダの条件パラメータパターンに応じて取得される予測滞在時間に基づいて予約時間帯枠が決定されてもよい。
【０２２６】
図２２は、第２の実施形態に係る検査予約システム１Ｂにおける予約日未定の検査を纏めて予約する方法を説明する模式図である。また、図２２では、予約順によらず、条件パラメータパターンに基づいて取得される予測滞在時間に基づいて検査日未定の検査を空き枠に割り当てる方法を説明する。
【０２２７】
放射線科端末３４において予約日未定の予約順１から予約順７までの７つの予約日未定検査の検査オーダについて纏めて検査予約が実行された場合、空き枠検索機能２３２ｂは、夫々の検査オーダに含まれる条件パラメータパターンに基づいて予測滞在時間を取得する。空き枠検索機能２３２ｂは、取得された予測滞在時間に基づいて、予約順に予約を割り当てる。
【０２２８】
当日の１４：３０〜１５：００の時間帯枠の予約人数がいずれも０である場合を例として説明する。予約順が１の患者ＡＡと、予約順が２の患者ＢＢの予測滞在時間はいずれも１０分である。従って、当日の１４：３０の時間帯枠に、予約順に応じて患者ＡＡと患者ＢＢとが予約される。
【０２２９】
次に、予約順が３の患者ＣＣの予測滞在時間は、２７分である。時間帯枠の単位時間は、３０分であり、患者ＡＡと患者ＢＢの予約を割り当てた後の１４：３０の空き時間は１０分である。従って、患者ＣＣは、１４：３０の時間帯枠には予約できない。
【０２３０】
この場合、空き枠検索機能２３２ｂは、予約順が３の患者ＣＣを飛ばして、予約順が４の患者ＤＤが１４：３０の空き時間に予約可能かを判定する。予約順が４の患者ＤＤの予測滞在時間は、１７分であり、１４：３０の空き時間１０分より長い。従って、空き枠検索機能２３２ｂは、予約順が４の患者ＤＤを飛ばして予約順が５の患者ＥＥが１４：３０の空き時間に予約可能かを判定する。予約順が５の患者ＥＥの予測滞在時間は、１０分であり、空き枠検索機能２３２ｂは、１４：３０の空き時間に予約順が５の患者ＥＥが予約可能であると判定する。
【０２３１】
なお、空き枠検索機能２３２ｂは、患者の予測滞在時間の合計が時間帯枠の空き時間以下になる患者の組合せを求めてもよい。
【０２３２】
空き枠検索機能２３２ｂは、予約順１の患者ＡＡ、予約順２の患者ＢＢ、及び予約順５の患者ＥＥを１４：３０の時間帯枠に予約するよう検査予約機能２３１ｂに指令する。また、空き枠検索機能２３２ｂは、次に空き枠として特定されている当日の１５：００の時間帯枠に、予約順３の患者ＣＣの予約するよう検査予約機能２３１ｂに指令する。
【０２３３】
検査予約機能２３１ｂは、検査オーダの予約を設定すると、検査オーダ毎に病棟連絡を生成し、対象の病棟に病棟連絡を送信する。
【０２３４】
なお、放射線科端末３４から検査予約が依頼された複数の予約日未定の検査オーダのすべてについて予約が設定されなくてもよい。例えば、図２２の例では、予約順１、２、３、及び５について予約時間帯が設定されるが、予約順４、６、及び７については、空き枠が無く、予約が設定されない。この場合、その旨を放射線科端末３４に表示するように検査予約システム１Ｂを構成してもよい。
【０２３５】
予約日未定の検査オーダについて予約が確定した場合、予約順は、振り直される。即ち、予約順４、６、及び７の予約順は、夫々予約順１、２、及び３に変更される。
【０２３６】
また、空き枠検索機能２３２ｂは、予測滞在時間に病棟からの移動時間を追加した時間に基づいて、空き枠検索を実行してもよい。例えば、検査室から近い病棟の場合は移動時間が短く、検査室から遠い病棟の場合は移動時間が前者の場合よりも長くかかる。空き枠検索機能２３２ｂは、このような病棟から検査室までの移動時間を考慮して予測滞在時間を算出してもよい。
【０２３７】
また、空き枠検索機能２３２ｂは、当日の検査の進捗状況に応じて空き時間が発生する時間帯枠を予測し放射線技師等のユーザに通知するために、空き時間の発生する時間帯枠の予測情報を表示してもよい。
【０２３８】
このように第２の実施形態に係る検査予約システム１Ｂによれば、第１の実施形態と同様の効果を得ることができる。加えて、第２の実施形態に係る検査予約システム１Ｂは、予測滞在時間に基づいて予約日未定の検査オーダを効率的に空き時間に割り当てることができる。
【０２３９】
予約日未定の検査オーダの予約は、放射線技師の裁量に任せられていた。また、空き状況は、放射線技師の経験から予測されていた。第２の実施形態に係る検査予約システム１Ｂによれば、予約日未定の検査の予測滞在時間が数値として正確に予測される。また、検査予約一覧に基づいて空き時間又は空き枠が数値として正確に算出され、算出された数値に基づいて予約日未定の検査の予約を割り振ることができる。従って、ユーザは、定量的に空き時間や空き枠を把握することができ、効率的に予約日未定の検査を割り当てることができる。
【０２４０】
このように、第２の実施形態の検査予約システム１Ｂでは、予約日未定の検査を纏めて簡単に予約できる上、予約に関する病棟連絡までも自動化されるため、放射線技師等の医療従事者の業務を従来よりも軽減できる。
【０２４１】
［第１及び第２の実施形態の変形例］
第１及び第２の実施形態では、病院に設置されるＨＩＳやＲＩＳが連携して空き枠に検査の予約をする検査予約システム１Ａ及び１Ｂの構成を説明したが、本開示の技術思想は、第１及び第２の実施形態の構成には限定されない。即ち、検査予約システムは、外部データベースや外部情報端末から条件パラメータパターンや平均滞在時間を取得し、取得した情報に基づいて空き枠検索及び検査を予約し、予約内容を外部データベースや外部情報端末に出力してもよい。
【０２４２】
図２３は、第１及び第２の実施形態の変形例に係る検査予約システム１Ｃの機能構成例を示すブロック図である。検査予約システム１Ｃは、電子ネットワークＮＷを介して外部データベース６Ｃ及び情報端末７Ｃと相互接続する。
【０２４３】
ここで、電子ネットワークＮＷとは、電気通信技術を利用した情報通信網全体を意味し、病院基幹ＬＡＮ、無線／有線ＬＡＮやインターネット網のほか、電話通信回線網、光ファイバー通信ネットワーク、ケーブル通信ネットワーク及び衛星通信ネットワークなどを含む。
【０２４４】
外部データベース６Ｃは、電子カルテサーバや放射線科サーバなどの医療システムを構成するサーバを含む。
【０２４５】
情報端末７Ｃは、診察室端末や放射線科端末などの病院システムが備えるクライアント端末を含む。情報端末７Ｃで発生した空き枠検索要求や検査予約要求は、検査予約システム１Ｃに送信される。
【０２４６】
検査予約システム１Ｃの記憶回路５１ｃは、取得データ記憶領域５１１ｃ及び検査予約記憶領域５１２ｃを有する。なお、取得データ記憶領域５１１ｃ及び検査予約記憶領域５１２ｃは、記憶回路５０ｃとは別の記憶回路により構成されてもよい。
【０２４７】
取得データ記憶領域５１１ｃは、外部データベース６Ｃから取得された情報や、情報端末７Ｃから入力された情報が記憶される。例えば、条件パラメータパターン毎の平均滞在時間は、外部データベース６Ｃから取得され、取得データ記憶領域５１１ｃに記憶される。
【０２４８】
検査予約記憶領域５１２ｃは、検査予約一覧を記憶する。検査予約一覧は、外部データベース６Ｃから取得され、検査予約システム１Ｃで更新された情報を外部データベース６Ｃに反映するように検査予約システム１Ｃを構成してもよい。
【０２４９】
検査予約システム１Ｃの処理回路５０ｃは、データ取得機能５０１ｃ、空き枠検索機能５０２ｃ、データ出力機能５０３ｃ、及び検査予約機能５０４ｃを有する。データ取得機能５０１ｃ、空き枠検索機能５０２ｃ、データ出力機能５０３ｃ、及び検査予約機能５０４ｃは、記憶回路５１ｃに格納されているプログラムを処理回路５０ｃのプロセッサが実行することによって実現される機能である。
【０２５０】
データ取得機能５０１ｃは、情報端末７Ｃからの空き枠検索要求及び検査予約要求に応じて、必要なデータを外部データベース６Ｃから収集する。収集されたデータは取得データ記憶領域５１１ｃに記憶される。
【０２５１】
データ出力機能５０３ｃは、空き枠検索機能５０２ｃで生成された空き状況表示や病棟連絡を情報端末７Ｃに出力する。
【０２５２】
データ取得機能５０１ｃ及びデータ出力機能５０４ｃ以外の各機能は第１及び第２の実施形態で説明した同名の機能と同一の機能を有する。従って、検査予約システム１Ｃによれば、第１及び第２の実施形態と同様の効果が得られる。
【０２５３】
以上述べた少なくとも一つの実施形態の検査予約システムによれば、従来よりも効率的に検査予約が可能となる。
【０２５４】
なお、請求項の用語と、実施形態との対応関係は、例えば以下の通りである。
【０２５５】
実績入室時刻は、請求項記載の入室時刻の一例である。
【０２５６】
実績退室時刻は、請求項記載の退室時刻の一例である。
【０２５７】
平均滞在時間算出機能２３３ａ、２３３ｂは、請求項記載の算出部の一例である。
【０２５８】
平均滞在時間記憶領域２２１ａ請求項記載の平均滞在時間記憶部の一例である。
【０２５９】
空き枠検索機能２３２ａ、２３２ｂ、５０３ｃは、請求項記載の空き枠検索部の一例である。
【０２６０】
検査予約機能２３１ｂは、請求項記載の通知部の一例である。
【０２６１】
データ取得機能５０１ｃは、請求項記載の取得部の一例である。
【０２６２】
データ出力機能５０３ｃは、請求項記載の出力部の一例である。
【０２６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０２６４】
１Ａ、１Ｂ、１Ｃ…検査予約システム
２１ａ、２１ｂ…予約管理サーバ
２０…診察室端末
３４…放射線科端末
４０…病棟端末
【図１】
2018081340.tif 000003
【図２】
2018081340.tif 000004
【図３】
2018081340.tif 000005
【図４】
2018081340.tif 000006
【図５】
2018081340.tif 000007
【図６】
2018081340.tif 000008
【図７】
2018081340.tif 000009
【図８】
2018081340.tif 000010
【図９】
2018081340.tif 000011
【図１０】
2018081340.tif 000012
【図１１】
2018081340.tif 000013
【図１２】
2018081340.tif 000014
【図１３】
2018081340.tif 000015
【図１４】
2018081340.tif 000016
【図１５】
2018081340.tif 000017
【図１６】
2018081340.tif 000018
【図１７】
2018081340.tif 000019
【図１８】
2018081340.tif 000020
【図１９】
2018081340.tif 000021
【図２０】
2018081340.tif 000022
【図２１】
2018081340.tif 000023
【図２２】
2018081340.tif 000024
【図２３】
2018081340.tif 000025